(57)【要約】  【課題】  昼夜の監視をする際の電気配線の手間が不要で、夜間照明および赤外照射型等の暗視カメラの消費電力を削減することができる、監視カメラによる遠隔監視方法を提供する。また、夜間監視時における夜間照明が不要で、監視カメラを無電源で稼働させることができる夜間監視システムを提供する。  【解決手段】  監視カメラを用いて夜間等に遠隔地より設備を監視する遠隔監視方法であって、被撮影位置（監視対象物）又はその近傍に蓄光材を配置する方法。蓄光材と、監視用カメラと、該カメラで得られた画像を保存及び／又は伝送する画像保存・伝送装置と、該カメラ及び／又は画像保存・伝送装置に稼動電力を供給するソーラーパネル及びソーラーコントローラと、を組み合わせた夜間監視システム。【選択図】  図１
2004282710.tif 000002
【特許請求の範囲】
【請求項１】
監視カメラを用いて夜間等に遠隔地より設備を監視する遠隔監視方法であって、被撮影位置又はその近傍に蓄光材を配置したことを特徴とする遠隔監視方法。
【請求項２】
前記蓄光材が、蓄光材料を含有する塗料の塗工層、蓄光材料を含有する板状材及び蓄光材料を含有するシート材からなる群から選ばれる何れか１種である請求項１に記載の遠隔監視方法。
【請求項３】
前記蓄光材が、蓄光材料と光触媒とを含有する塗料の塗工層である請求項１に記載の遠隔監視方法。
【請求項４】
前記蓄光材の表面に光触媒層が設けられている請求項１〜３のいずれかに記載の遠隔監視方法。
【請求項５】
蓄光材と、監視用カメラと、該カメラで得られた画像を保存及び／又は伝送する画像保存・伝送装置と、該カメラ及び／又は画像保存・伝送装置に稼動電力を供給するソーラーパネル及びソーラーコントローラと、を組み合わせたことを特徴とする夜間監視システム。
【発明の詳細な説明】
【技術分野】
【０００１】
本発明は、砂防ダムなどの設備を、監視カメラを用いて夜間等に遠隔地より監視する遠隔監視方法、及び夜間監視システムに関する。
【背景技術】
【０００２】
従来、例えば、砂防ダムの水抜き穴の埋没の有無や、発電所、工場などにおける各種設備の監視を行う場合、監視用カメラを設置し、撮影した映像信号を中央管理室に伝送し、中央管理室において一括して監視することが行われている。監視カメラによる遠隔監視方法は数多く知られているが、コンピューターを用いて撮影方向を制御したり（特許文献１参照）、データの一元管理等を行うことで管理労力の低減を図る（特許文献２参照）など、種々の提案がなされている。
【０００３】
【特許文献１】特開２００２−７７８８０号公報
【特許文献２】特開２００２−１７１５１４号公報
【発明の開示】
【発明が解決しようとする課題】
【０００４】
しかしながら、監視カメラで撮影する場合、夜間は目標物が全く見えなくなるため、夜間の監視ができないという問題点がある。そのために夜間照明を新設したのでは不経済であり、場所によっては照明設備の敷設が困難な場合もある。例えば砂防ダムの場合、土砂崩れは砂防ダムへの蓄積兆候が起きてから一定時間で人里まで広がるため、夜間の監視体制も重要であり、夜間照明を用いて監視カメラで撮影を継続することも考えられるが、そのために電線ケーブルを敷設する必要が生じる等、経済的な課題がある。また、砂防ダム等は大概山奥に設置されているため、無電源での監視ニーズが高い。
【０００５】
一方、「土石流災害に関する警報の発令と避難指示のための降雨量設定指針」は、災害発生の２時間以上前に警報を出せるように設定されているため、夜間の監視の重要性は年々高まっている。
【０００６】
本発明は、前記従来の課題に鑑みてなされたものであり、昼夜の監視をする際の電気配線の手間が不要で、夜間照明および赤外照射型等の暗視カメラの消費電力を削減することができる、監視カメラによる遠隔監視方法を提供することを目的とする。また、本発明は、夜間監視時における夜間照明が不要で、監視カメラを省電力で稼働させることができる夜間監視システムを提供することを目的とする。
【課題を解決するための手段】
【０００７】
前記目的を達成するため、本発明は、監視カメラを用いて夜間等に遠隔地より設備を監視する遠隔監視方法であって、被撮影位置又はその近傍に蓄光材を配置したことを特徴とする遠隔監視方法を提供するものである。
【０００８】
前記の遠隔監視方法においては、前記蓄光材が、蓄光材料を含有する塗料の塗工層、蓄光材料を含有する板状材及び蓄光材料を含有するシート材からなる群から選ばれる何れか１種であることが好ましい。
【０００９】
また、前記の遠隔監視方法においては、前記蓄光材が、蓄光材料と光触媒とを含有する塗料の塗工層であってもよい。
【００１０】
また、前記の遠隔監視方法においては、前記蓄光材の表面に光触媒層が設けられていてもよい。
【００１１】
次に  本発明は、蓄光材と、監視用カメラと、該カメラで得られた画像を保存及び／又は伝送する画像保存・伝送装置と、該カメラ及び／又は画像保存・伝送装置に稼動電力を供給するソーラーパネル及びソーラーコントローラと、を組み合わせたことを特徴とする夜間監視システムを提供するものである。
【発明の効果】
【００１２】
以上説明した通り、本発明の遠隔監視方法は、各種設備の被撮影位置又はその近傍に蓄光材を配置しているので、昼夜監視体制が必要な監視対象物を、夜間照明を用いることなく夜間でも認識することができる。
【００１３】
具体的には、砂防ダムの水抜き穴の周辺に蓄光材を配置することで、山間部に設けられた砂防ダムの水抜き穴の昼夜の監視が可能となり、夜間でも監視カメラによる蓄光材の光の認識の有無で、水抜き穴の解放、閉塞を判断することができる。その他、暗所での設備機器の有無の監視、暗所での南京錠等の有無の監視、暗所での周辺状況変化の監視、山中に設置した観測機器の監視、夜間の河川やダム、貯水槽の水位レベルや堆積レベルの監視などに幅広く応用できる。
【００１４】
さらに、実際に現場で目視する場合でも、蓄光材を水抜き穴の認識、もしくは砂防ダムの水位レベル表示用のラインとして用いることで、より速やかに状態を確認することが可能となる。
【００１５】
また、本発明の夜間監視システムによれば、夜間監視時における夜間照明が不要で、監視カメラを省電力（ソーラーバッテリー）で稼働させることができるため、省エネルギーの監視システムを提供することができる。
【発明を実施するための最良の形態】
【００１６】
本発明による遠隔監視方法は、監視カメラを用いて夜間等に遠隔地より設備を監視する方法であって、被撮影位置又はその近傍に蓄光材を配置したものである。
【００１７】
本発明において、監視対象物となる設備は特に限定されないが、昼間は自然光、人工光または照明光が当たるものが好ましい。夜間は暗所になるものに適用するのが効果的である。具体例を挙げると、砂防ダムの水抜き穴、河川、ダムの水位レベルや土砂堆積レベル表示ライン、工場の設備機器、家屋、ビル建造物、管理区域の棚の南京錠、山中に設置した観測機器などである。蓄光材を監視対象物の被撮影位置又はその近傍に配置することにより、蓄光材が昼間は自然光や人工光、照明光から光エネルギーを吸収し、夜間は暗闇に光を放出するため、かかる放出光を利用することで夜間でも監視カメラによる撮影が可能となる。
【００１８】
蓄光材の配置場所や配置数は、監視カメラの種類や感度、シャッタースピード等によって監視対象物又はその近傍に配置された蓄光材の認識度合いが異なるため、一概に規定することはできないが、蓄光材を監視対象物から半径５０ｍ以内、好ましくは２０ｍ以内、さらに好ましくは１０ｍ以内に配置するのが良い。蓄光材の種類、数、大きさ（蓄光面の面積）等は、被撮影位置の輝度が３ｍｃｄ／ｍ２以上、好ましくは１００ｍｃｄ／ｍ２以上、さらに好ましくは３００ｍｃｄ／ｍ２以上となるように、適宜選択するのが良い。
【００１９】
本発明で用いる蓄光材は、蓄光材料を含有する塗料の塗工層、蓄光材料を含有する板状材、蓄光材料を含有するシート材からなる群から選ばれる何れか１種が好適に用いられる。蓄光材料を含有する塗料の塗工層は、監視対象物の表面に直接形成する。塗工方法は、吹き付け、刷毛塗りなど通常の塗工法をそのまま用いることができる。前記の板状材やシート材としては、蓄光材料にシリカ等の無機粉末あるいはアクリル樹脂等の樹脂粉末等を混合して板状やシート状に成形したものや、板状あるいはシート状の基材上に蓄光材料を含有する塗料の塗工層を形成したもの等が挙げられる。
【００２０】
前記の基材は特に限定されるものではないが、金属板、木板、合板、合成樹脂よりなる板あるいはシートが好適に用いられる。金属板としては、各種メッキ鋼板、ステンレス鋼板等が挙げられる。合成樹脂としては、塩化ビニル樹脂、ポリエチレン樹脂、ポリプロピレン樹脂、ポリスチレン樹脂、ポリエステル樹脂、ポリアクリル樹脂、ポリカーボネート樹脂、ポリノルボルネン系樹脂、ポリエーテルスルホン系樹脂、ポリアミド系樹脂、ポリイミド系樹脂等の熱可塑性樹脂、フェノール樹脂、不飽和ポリエステル樹脂、エポキシ樹脂、メラミン樹脂、ポリウレタン樹脂、ユリア樹脂、ケイ素樹脂等の熱硬化性ないし紫外線硬化性樹脂が挙げられる。合成樹脂は、単層のみならず複数層の積層体でも良い。また、金属板と合成樹脂の複合材を用いることもできる。
【００２１】
蓄光材として、蓄光材料に無機粉末あるいは樹脂粉末等を混合して板状やシート状に成形したものは、基材上に蓄光材料を含有する塗工層を形成したものに比べて、基材中に多量の蓄光材料を分散し含有させることが可能であるため、放出光を長期間持続させうる点で好ましい。なかでも、蓄光材料への光の吸収を容易にし、かつ蓄光材料から放出される放出光の強度を高める観点より、透光性基材中に蓄光材料を分散したものが好適である。該透光性基材を構成する材料としては、ガラス、石英等の無機化合物や、塩化ビニル樹脂、ポリエチレン樹脂、ポリプロピレン樹脂、ポリスチレン樹脂、ポリエステル樹脂、ポリアクリル樹脂、ポリカーボネート樹脂、ポリノルボルネン系樹脂、ポリエーテルスルホン系樹脂、ポリアミド系樹脂、ポリイミド系樹脂等の熱可塑性樹脂、アクリル系、ウレタン系、エポキシ系、シリコーン系等の熱硬化性ないし紫外線硬化性樹脂が挙げられる。
【００２２】
本発明の蓄光材に含まれる蓄光材料としては、公知のものを制限なく使用することができるが、一般には各種の金属化合物からなり、光が照射されたときに発光するとともに、光の照射が終了しても長時間にわたって残光が持続する機能を有するものである。蓄光材料は、残光時間は長いものほど良いが、好ましくは残光時間が８時間以上、より好ましくは残光時間が１２時間以上、更に好ましくは２４時間以上のものが良い。発光効率が良好で、残光時間が長く、高い残光輝度を有するものが特に好ましい。
【００２３】
蓄光材料は用途に応じて適宜選択することができるが、例えば二価の金属のアルミン酸塩を母体結晶としたものに賦活剤として希土類元素を加えたもの等が利用できる。二価の金属としては、マグネシウム、カルシウム、ストロンチウム、バリウム、亜鉛などがあり、希土類元素としてはプラセオジム、ネオジム、ユーロピウム、ガドリニウム、テルビウム、ジスプロシウム、ホルミウム、エルビウム、ツリウム、イッテルビウム、ルテチウムなどがある。なかでも、酸化アルミナストロンチウム系のものが好ましく、例えばＳｒＡｌ２Ｏ４：Ｅｕ，Ｄｙ、Ｓｒ４Ａｌ１４Ｏ２５：Ｅｕ，Ｄｙ、ＣａＡｌ２Ｏ４：Ｅｕ，Ｎｄ、ＳｒＡｌ１４Ｂ１４Ｏ２５：Ｅｕ，Ｄｙ等が好適に用いられる。蓄光材料は、１種又は複数種を適宜混合して用いることができる。
【００２４】
被撮影位置又はその近傍に蓄光材を配置する場合は、蓄光材料を含有する塗料（コーティング剤）を監視対象物又はその周辺に塗工する方法、蓄光材料粉体を監視対象物又はその周辺に吹付ける方法の他、監視対象物を構成する建材や設備機器等の部材表面に直接塗料を塗工したものを用いる方法、あるいは蓄光材料を含有する板状材やシート材を監視対象物又はその周辺に配置する方法、などいずれであっても良い。
【００２５】
塗料による蓄光材料層の形成は、蓄光材料を含有する塗料を塗布し、乾燥することにより行うことが好ましい。塗工方法は特に限定されず、例えばスプレー塗り、ローラー塗り、刷毛塗り等により行うことができる。塗料の塗布回数は、１回でも複数回でも良い。
【００２６】
蓄光材料を含有する塗料には、放出光を強くする観点より、蓄光材料が３０質量％以上含まれていることが望ましい。塗工量は特に限定されないが、被塗工面に対し、蓄光材料として約１５ｇ／ｍ２以上塗工されていることが望ましい。また、蓄光材が長期間屋外に放置されることで蓄光材表面が汚れて見え難くなるのを防止するため、蓄光材料を含有する塗料に光触媒を混合してもよい。蓄光材料と光触媒の混合割合は特に限定されない。
【００２７】
前記の蓄光材料含有塗料、蓄光材料／光触媒混合塗料の組成は、特に限定されるものではなく、分散安定性、塗工性等を考慮して適宜決定することができる。例えば、蓄光材料や光触媒の他に、水あるいは有機溶剤等の溶剤や、バインダー成分を含んでいてもよい。
【００２８】
また、蓄光材が長期間屋外に放置されることで蓄光材表面が汚れて見え難くなるのを防止するため、前記の蓄光材層の上に光触媒層を設けてもよい。塗料による光触媒層の形成は、光触媒を含有する塗料を塗布し、乾燥もしくは焼成することにより行うことが好ましい。塗料の塗布回数は、１回でも複数回でも良い。光触媒含有塗料における光触媒含有量は、特に限定されないが、１質量％以上、好ましくは５質量％以上が望ましい。塗工量は特に限定されないが、乾燥後の塗膜の厚さが０．５μｍ以上、好ましくは１〜５μｍとなるように塗工することが好ましい。塗工層中の光触媒含有量は、０．２５ｇ／ｍ２以上、好ましくは０．５〜２．５ｇ／ｍ２であるのが良い。
【００２９】
光触媒としては、光触媒活性を有する金属酸化物が用いられるが、その種類は特に限定されない。具体例としては、例えば、アナターゼ型二酸化チタン、ルチル型二酸化チタン、ブルッカイト型二酸化チタン、酸化亜鉛、酸化錫、酸化鉛、酸化第二鉄等が挙げられる。好ましくは、プラズマ法や湿式法（アンモニア加水分解処理）などによる酸素欠陥型の酸化チタン光触媒（ＴｉＯ２−ｘ）（より好ましくはアナターゼ型酸化チタン）、窒素ドープ法などによる窒素ドープ型酸化チタン光触媒ＴｉＯ２−ｘ，ｘ＝Ｎ）（より好ましくはアナターゼ型酸化チタン）、コロイド焼成法などによるＰｔ、Ａｕ等の金属超微粒子担持酸化チタン触媒（より好ましくはルチル型酸化チタン）、イオン注入法や、金属ドープ法などによるＶ、Ｃｒ、Ｎｉ、Ｍｎ、Ｆｅ、Ｗ等の遷移金属注入型酸化チタン（より好ましくはアナターゼ型酸化チタン）、マグネトロンスパッタ法などによる薄膜型酸化チタン光触媒などの可視光応答可能な酸化チタン光触媒が良い。また、ＣｄＳ、Ｆｅ２Ｏ３、硫化モリブデン、ＧａＡｓ、ＷＯ３などの可視光応答性が良いが光触媒活性が弱いもしくは不安定な物質（単一もしくは複数）をＨ２Ｔｉ４Ｏ９などの半導体の層間に包接することで、活性を向上させた光触媒を用いることも考えられる。光触媒は、１種又は複数種を適宜混合して用いることができる。
【００３０】
本発明で用いる板状あるいはシート状の蓄光材は、硬質あるいは可塑性の材料などの適宜な材料から選択されるが、その形状や大きさ等は、特に限定されるものではなく、板状やシート状の蓄光材を使用目的に応じて適宜な大きさに調製したものを、そのまま、あるいは適宜裁断して使用する。蓄光材の厚さは特に制限されないが、１〜３０ｍｍ、好ましくは２〜１０ｍｍ、より好ましくは２〜５ｍｍであるのが良い。
【００３１】
本発明において、蓄光材の配置角度は特に限定されないが、蓄光材料の存在面が監視カメラ方向になるように配置するのが、認識精度を高める観点より好ましい。
【００３２】
次に、本発明の遠隔監視方法の実施形態について説明する。図１は、砂防ダムの外観を示す図である。砂防ダム２０には、水抜き穴２１（一般的には複数）が設置されている。図２及び図３は、砂防ダムの水抜き穴近傍に蓄光材を配置した一例を示す部分拡大図である。砂防ダム２０の水抜き穴２１の近傍に蓄光材を配置する方法としては、例えば水抜き穴２１の周辺に蓄光材料含有塗料を塗工して塗工層１を形成する方法（図２(a)）、水抜き穴２１の周辺に蓄光板１を配置する方法（図では下部に配置）（図２(b)）、水抜き穴２１の側面に蓄光板１を配置する方法（図３(a)）、水抜き穴２１の側面に沿って可塑性の蓄光板１を配置する方法（図３(b)）などが挙げられるが、これに限定されない。水抜き穴の周辺に蓄光材を配置することで、夜間でも監視カメラによる蓄光材の光の認識の有無で、水抜き穴の解放、閉塞を判断することができる。
【００３３】
他の一例として、図１に示す砂防ダム２０の堆積レベル表示ライン２２を蓄光材で形成することもできる。
【００３４】
本発明の遠隔監視方法は、従来公知の種々の遠隔監視システムに応用可能である。例えば、監視対象場所に監視用カメラを設置し、この監視カメラで取得された画像を伝送し、遠隔地に設置されたコンピューターの画面上に出力する方法等が可能である。
【００３５】
監視用カメラとしては、蓄積型高感度カメラ、バルブ撮影カメラ、赤外線方式型、光増幅方式型のカメラ等が考えられる。バルブ撮影カメラは省電力化が図れる点で優れているが高価であり、赤外線方式型高感度カメラ（近赤外線使用）は従来の可視光照明型の監視システムよりは省電力であるものの、別途赤外線投光器が必要でシステムが大きくなり、また、光増幅方式型カメラは高コストで、取扱いが非常にデリケートで管理が難しい。従って、省電力ならばバルブ撮影カメラや蓄積型高感度カメラが適しており、更に、低コスト、省スペースの観点からは、蓄積型高感度カメラを使用する方法が望ましい。但し、監視対象物に動きのある場合には、赤外線方式か光増幅方式の高感度カメラを用いることが望ましい。
【００３６】
また、上記のカメラの他に、例えば通常のカメラ（例えばシャッタースピードが１秒以下）と画像蓄積装置（画像合成のできるパソコンなど）の組み合わせを使用してもよい。通常のカメラで得られた画像を画像蓄積装置で複数枚、重ね合せて対象物を認識する（明るいところが見えてくる）方法を採ることができる。また、この場合は、画像蓄積装置は、監視カメラ設置位置への設置は必須ではなく、例えば、保存画像を回収後、もしくは画像伝送先にて画像蓄積装置にかけることもできる。
【００３７】
無電源（ソーラーバッテリー）で稼動電力を供給することができる観点より、省電力型の蓄積型高感度カメラやバルブ撮影カメラが好適に用いられる。コストの点からは蓄積型高感度カメラがよく、省電力の点からはバルブ撮影カメラがよい。
【００３８】
図４−１〜３は本発明の遠隔監視方法を利用した夜間監視システムの一実施形態を示す構成図である。図４−１では、蓄光板１を認識するための蓄積型高感度カメラ２ａ（或いはバルブ撮影カメラ２ｂでもよい）を屋外ハウジング内に設置し、このカメラで得た画像を画像保存・伝送装置３（画像の保存装置，画像の伝送装置，画像の保存及び伝送装置の何れか）で処理する。
【００３９】
図４−２では、監視用の通常のカメラ２を屋外ハウジング内に設置し、このカメラで得た画像を画像蓄積装置７に蓄積した後、蓄積した画像を画像保存・伝送装置３（画像の保存装置，画像の伝送装置，画像の保存及び伝送装置の何れか）で処理する。
【００４０】
図４−３では、監視用の通常のカメラ２を屋外ハウジング内に設置し、このカメラで得た画像を画像保存・伝送装置３（画像の保存装置，画像の伝送装置，画像の保存及び伝送装置の何れか）で処理し、保存画像を取出後あるいは伝送先で画像蓄積装置７にかける。
【００４１】
図４−１〜３において、監視用カメラ、画像保存・伝送装置又は画像蓄積装置の稼働電力は、ソーラーパネル４で蓄積しておいたものをソーラーコントローラ５を通して供給する。従って、監視用カメラや装置、被対象物の夜間照明用の電力を供給するために電線ケーブルを敷設する必要がなく、省電力で監視することができるため、極めて経済的な監視システムとなる。監視用カメラには、必要に応じてズームレンズが取り付けられる。
【００４２】
上記の監視システムでは、監視用カメラで得た画像を保存及び／又は伝送する画像保存・伝送装置を使用するので、例えば砂防ダムの水抜き穴の状態を、２０〜３０ｍ程度離れた場所に設定したカメラにて監視し、捕えた画像を市街地へ伝送する夜間監視システムを実現することができる。
【００４３】
本発明の監視方法及び監視システムは、暗所での設備機器の有無の監視（例えば、工場の設備機器や、山中に設置した観測機器や、山間部工事中の現場に期間中置いているブルトーザー等の重機類、そのものに、蓄光材を貼付ないし塗布して設備機器や観測機器、重機類を監視する）、暗所での南京錠等の有無の監視（例えば、南京錠の後ろに蓄光材を配置してシルエットで認識する）、暗所での周辺状況変化の監視（例えば、河川やダムの水位レベルや堆積量レベルの表示ラインに蓄光材を配置し、蓄光材の認識の有無で水位等を測る）等、種々の遠隔監視に利用することができる。
【実施例】
【００４４】
次に、本発明を実施例により具体的に説明するが、本発明は以下の実施例にのみ限定されるものではない。また、以下の実施例等において、特に言及する場合を除き、「質量％」は「％」と略記する。
【００４５】
（実施例１）
アベイラス社製の蓄光タイル（商品名「アルシオール」２４時間発光タイプ：蓄光材料として酸化アルミナストロンチウム（ＳｒＡｌ２Ｏ４）を使用；タイル主成分が石英９０〜９５％、メチルメタアクリレート樹脂５〜１０％；発光波長５２０ｎｍ、２００Ｌｕｘ３０分で蓄光完了）約４５ｃｍ角を用いて、夜間の認識の試験を実施した。蓄光板の蓄光は、山間部砂防ダムの条件よりやや厳しいところを想定し、建物の１１階南側窓辺（ブラインドで約５０％日差しをカット）より約３ｍ離れた室内に３日間設置することにより実施した。ちなみに屋外の冬の曇天の場合は約１５，０００Ｌｕｘ、林の中の日陰は２，５００Ｌｕｘ、屋内の窓辺から２ｍのところで２，５００Ｌｕｘであった。
【００４６】
監視カメラを蓄光タイルから２５ｍ離れた場所に設置し（図５参照）、絞りは最大、シャッタースピードは１／４０〜１／２５の条件で３０分間毎に撮影を実施した。監視カメラは、別室に設置したパーソナルコンピューターに接続可能な伝送式カメラを用い、蓄光タイルを撮影した画像データは、コンピューターに接続されたディスプレイ装置の画面に出力されるようにした。その結果、日没後、２時間までは蓄光タイルを認識することが可能であった。
【００４７】
（実施例２）
蓄光材として、実施例１で用いたアベイラス社製の蓄光タイル約５０ｃｍ×１００ｃｍを用いて、夜間の認識の試験を実施した。蓄光タイルの蓄光は、蓄光タイルを１６時３０分から１７時３０分の１時間、芝生の上に静置することにより実施した。このときの蓄光タイルの照度は平均で２，２００Ｌｕｘ程度であった。
【００４８】
蓄光された蓄光タイルを暗闇条件を仮定して林内に設置し、この蓄光タイルを３０ｍ離れた場所に設置した監視カメラを用いて、深夜２時間毎に手動バルブ撮影を行った。撮影条件は、ズーム１２０ｍｍ、露光時間６０秒とし、感度ＩＳＯは４００と８００で実施した。評価は以下の方法に従った。その結果を表１に示す。表１から明らかなように、深夜中蓄光タイルを認識することができた。
【００４９】
（評価）
蓄光材を捕らえたカメラ映像を用い、蓄光材の認識度合いを以下の基準で評価した。
◎：蓄光材を明らかに視認できる
○：蓄光材を視認できる
△：蓄光材を僅かに視認できる
×：蓄光材を視認できない
【００５０】
（実施例３）
酸化アルミナストロンチウムを主成分とする蓄光材料（粒径１ｍｍ、緑色粒子）５００ｇを、メッシュを用いて、蓄光材の輝度を向上させるため予め下地として白色の水溶性塗料を塗布した後、接着層としてエポキシ系樹脂を塗布した５０ｃｍ×１００ｃｍのベニヤ板の表面に分散させ、仕上げにラッカーをスプレーして乾燥することにより、蓄光材を作製した。得られた蓄光材における蓄光粒子の含有量は４００ｇ／ｍ２であった。
【００５１】
得られた蓄光材を、実施例１と同様の条件で蓄光した後、実施例１と同様の条件で深夜２時間毎に手動バルブ撮影を行った。評価結果を表１に示す。表１から明らかなように、感度が高い場合は深夜中蓄光材を認識することができたが、感度が低い場合は途中で蓄光材を認識することが困難となった。
【００５２】
（実施例４）
酸化アルミナストロンチウムを主成分とする蓄光材料（粒径１ｍｍ、青色粒子）５００ｇを用いた以外は、実施例３と同様にして、蓄光材を作製した。得られた蓄光材における蓄光粒子の含有量は４００ｇ／ｍ２であった。
【００５３】
得られた蓄光材を、実施例１と同様の条件で蓄光した後、実施例１と同様の条件で深夜２時間毎に手動バルブ撮影を行った。評価結果を表１に示す。表１から明らかなように、感度が高い場合は深夜中蓄光材を認識することができたが、感度が低い場合は途中で蓄光材を認識することが困難となった。
【００５４】
（実施例５）
酸化アルミナストロンチウムを主成分とする蓄光材料（粒径７μｍ、青色粒子）含有水溶性塗料を、５０ｃｍ×１００ｃｍのベニヤ板の表面に塗工し、乾燥することにより、蓄光材を作製した。得られた蓄光材における蓄光粒子の含有量は約１０００ｇ／ｍ２であった。
【００５５】
得られた蓄光材を、実施例１と同様の条件で蓄光した後、実施例１と同様の条件で深夜２時間毎に手動バルブ撮影を行った。評価結果を表１に示す。表１から明らかなように、感度が高い場合は深夜中蓄光材を認識することができたが、感度が低い場合は途中で蓄光材を認識することが困難となった。
【００５６】
【表１】
2004282710.tif 000003
【００５７】
（実施例６）
蓄光材として、実施例１で用いたアベイラス社製の蓄光タイル約４５ｃｍ角を用い、蓄光タイルの前面障害物の識別試験を実施した。蓄光タイルの蓄光は、蓄光タイルを１６時３０分から１７時３０分の１時間、芝生の上に静置することにより実施した。蓄光タイルの照度は平均で２，２００Ｌｕｘ程度であった。この蓄光タイルを暗闇に設置し、蓄光タイルから３０ｍ離れた場所に設置した監視カメラを用いて、夜１０時３０分に手動バルブ撮影を行った。撮影条件は、ズーム１２０ｍｍ、露光時間６０秒とし、感度ＩＳＯ８００で実施した。その結果、蓄光タイル前面の障害物をはっきり識別することができた。
【図面の簡単な説明】
【００５８】
【図１】本発明の一実施形態を示す砂防ダムの外観を示す斜視図である。
【図２】本発明の一実施形態を示す砂防ダム水抜き穴周辺の拡大正面図である。
【図３】本発明の一実施形態を示す砂防ダム水抜き穴周辺の拡大斜視図である。
【図４−１】本発明の一実施形態を示す夜間監視システムの構成図である。
【図４−２】本発明の一実施形態を示す夜間監視システムの構成図である。
【図４−３】本発明の一実施形態を示す夜間監視システムの構成図である。
【図５】監視カメラによる蓄光材の遠隔監視方法を示す模式図である。
【符号の説明】
【００５９】
１  蓄光板
２  カメラ
２ａ  蓄積型高感度カメラ
２ｂ  バルブ撮影カメラ
３  画像保存・伝送装置
４  ソーラーパネル
５  ソーラーコントローラ
６  ズームレンズ
７  画像蓄積装置
２０  砂防ダム
２１  水抜き穴
２２  堆積レベル表示用ライン
【図１】
2004282710.tif 000004
【図２】
2004282710.tif 000005
【図３】
2004282710.tif 000006
【図４−１】
2004282710.tif 000007
【図４−２】
2004282710.tif 000008
【図４−３】
2004282710.tif 000009
【図５】
2004282710.tif 000010